(57)【要約】【課題】パッシブＲＦＩＤタグの３次元位置を高精度で測定する。【解決手段】質問器からの電波ＡとＲＦＩＤタグの応答電波Ｂの到達時間差から求まる距離と電波Ａと電波Ｂの位相差から求まる１波長内の距離との合成から、質問器からの距離を求め、３台の質問器を使用する事で、３次元位置を高精度で計測すると共に、ＲＦＩＤタグの特性の違いによる誤差を、個体情報としてＲＦＩＤタグに書き込み、補正情報として使用する事で、より高精度な測定結果を得る。【選択図】図１
2009270901.tif 000002
【特許請求の範囲】
【請求項１】
質問器から送信した電波に対する、パッシブＲＦＩＤタグの応答電波を質問器で受信し、反射時間と位相差の合成により距離を出し、３台の質問器を使う事で、ＲＦＩＤタグの三次元位置を高精度に計測する方法。
【請求項２】
ＲＦＩＤタグの応答遅延時間情報をタグ自身に記録し、質問器で読み取り補正する事で、ＲＦＩＤタグの個体差をなくする方法。
【発明の詳細な説明】
【技術分野】
【０００１】
本発明は、質問器からの電波ＡとＲＦＩＤタグの応答電波Ｂの到達時間差から求まる距離と、電波Ａと電波Ｂの位相差から求まる１波長内の距離との合成から、質問器からの距離を求め、３台の質問器を使用する事で、３次元位置を高精度で計測する方法である。
【０００２】
製造ロットで異なるＲＦＩＤタグの応答する迄の時間の差は、位相差に影響し、ＲＦＩＤタグを交換した時の測定距離の誤差の原因となる為、ＲＦＩＤタグに特性データを書き込み、質問器が読み取る事で補正を行う。
【背景技術】
【０００３】
従来から、質問器からの電波とＲＦＩＤタグの応答電波の到達時間差から距離を求める方法は有ったが、波長より短い距離を計測するには、波長を必要な精度に分割するクロックが必要で、２．４５ＧＨｚ帯を超えてのディジタルカウントは、事実上不可能である。この波長内距離を求める為に、送信波と応答波の位相差を検出し、位相差に応じた長さを、時間差で求まる距離と合成する事で、波長より短い距離精度で位置計測を可能にするもので有る。尚、位相差だけでは、１波長を越えての位置は計測出来ないので、到達時間から求まる距離との合成が必要である。
【０００４】
３台の質問器の１つから送信し、ＲＦＩＤタグは受信したら、信号を連続送信する。３台の質問器の受信機は、ＲＦＩＤタグからの応答を受信し、時間差と位相差から、それぞれの位置からＲＦＩＤタグ迄の距離を算出する。
【０００５】
１台の質問器からの送信で距離の計測は可能で有るが、ＲＦＩＤタグには指向性が有る為、３台の質問器が順に送信を行う事で、指向性による無応答を回避する。
【０００６】
質問器１の座標をＰ１とし、ＲＦＩＤタグまでの距離をＲ１とすると、ＲＦＩＤタグは、Ｐ１を中心とする半径Ｒ１の球上に位置していると考えられる。同様に質問器２と３の球を求める。これら３つの球の重なる点から、地震の震源を算出するのと同じ原理で、３次元空間上のＲＦＩＤタグの位置を決定出来る。これは、水平平面上に質問器を配置しても、高低を含めて、位置の決定が行える事を意味している。
【０００７】
応答電波の強度で位置計測を行うのでは無い為、ＲＦＩＤタグの送信レベルや障害物による電波の減衰は、問題とされない。
【０００８】
ＲＦＩＤタグにその個体識別ＩＤコードを質問器から発信し、その識別ＩＤコードのＲＦＩＤだけが応答するので、複数のＲＦＩＤタグの位置計測が可能で有る。
【０００９】
ＲＦＩＤタグ内の処理回路の遅れ時間の個体差が、応答時間や位相差に影響し、画一的条件では、誤差として現れてしまう。この対策として、ＲＦＩＤタグの固有情報をＲＦＩＤタグ内に記録し、質問器で情報を読み取る事で補正を行い、ＲＦＩＤタグの個体差を無くす事が可能である。
【００１０】
変調方式は、位相差の検出を行う都合上、ＡＳＫ方式を採用する。周波数を変調するＦＳＫやＭＳＫ及び位相変調のＰＳＫでは位相差が求められない為、使用出来ない。
【００１１】
２．４５ＧＨｚ帯で行う場合は、無線ＬＡＮ、携帯電話や電子レンジの周波数帯と同じで有り、原理上これ等の干渉を防ぐ事が不可能な関係上、電磁的に遮断された場所で行う必要が有る。又、水分や金属の影響を受け易いので、考慮する必要がある。
【特許文献１】特許公開２００２−３９７１４
【特許文献２】特許公開平７−２１８６３４
【特許文献３】特許公開２００７−１２７５０３
【特許文献４】特許公開２００６−３４３３０９
【非特許文献１】ＲＦ／ＩＦゲインおよび位相検出器  AD8302  アナログデバイセス
【非特許文献２】地球科学ハンドブック  力武常次著  聖文社
【非特許文献３】震源の位置と断層運動の推定  防災科学技術研究所                http://www.hinet.bosai.go.jp/about_earthquake/sec3.1.htm
【発明の開示】
【発明が解決しようとする課題】
【００１２】
計測は次の手順で行われる。
３台の質問器の１台からＲＦＩＤタグ識別コードとそれに続いて連続波を送信する。
自分の識別コードを検出したＲＦＩＤタグは、連続波を応答送信する。
ＲＦＩＤタグからの応答波を受信した３台の質問器は、発信した質問器のタイミングに同期して応答時間を計測する。
応答時間からＲＦＩＤタグ固有の処理時間を差し引き、実際の電波の往復時間とする。往復時間の半分から距離を求める。
同時に、送信波と応答波の位相を検出し、３６０度を１００％とする位相度数の割合から、１波長の位相分の長さを求める。
求められた距離と長さを加算して、質問器とＲＦＩＤタグ間の距離とする。
距離が求まると、質問器からの連続波を停止する。
連続波の停止は、ＲＦＩＤタグの指向性による無応答が考えられるので、タイムアウトでも停止する。
続いて、次の質問器が働き、同様の測定を順に繰り返す。
質問器が１台だけの場合、距離は求まるが、質問器からの距離を半径とする球面上の何所かであり、座標を特定する事は出来ない為、３台の質問器を使用する。
【００１３】
求まった３台の質問器からＲＦＩＤタグまでの距離から、ＲＦＩＤタグの位置を特定する。
３台の質問器の座標値を、Ｐ１（Ｘ１、Ｙ１、Ｚ１）、Ｐ２（Ｘ２、Ｙ２、Ｚ２）、Ｐ２（Ｘ３、Ｙ３、Ｚ３）とする。
３台の質問器からＲＦＩＤタグ迄の距離をＲ１、Ｒ２、Ｒ３とする。
Ｐ１を中心とする半径Ｒ１の球とＰ２を中心とする半径Ｒ２の球とＰ３を中心とする半径Ｒ３の球の３つの球の交点が求まるＲＦＩＤタグの座標値となる。
次式の解が求める座標値Ｐ０（Ｘ、Ｙ、Ｚ）となる。
（Ｘ−Ｘ１）＾２＋（Ｙ−Ｙ１）＾２＋（Ｚ−Ｚ１）＾２＝Ｒ１＾２
（Ｘ−Ｘ２）＾２＋（Ｙ−Ｙ２）＾２＋（Ｚ−Ｚ２）＾２＝Ｒ２＾２
（Ｘ−Ｘ３）＾２＋（Ｙ−Ｙ３）＾２＋（Ｚ−Ｚ３）＾２＝Ｒ３＾２
但し、＾２は二乗を表す。
この３つの式は、Ｒ１、Ｒ２、Ｒ３に誤差の無い場合に成立し、測定誤差を含む実測値には、適用出来ない。この式で解くには、右辺と左辺の差が極小となる様に、多数の測定点から最少二乗法で求めなければならない。
質問器は３台と、最小構成としていて、最小二乗法では解く事が出来ない為、下記手順で、ＲＦＩＤタグの位置を求める。
図１を参考にして説明する。
３台の質問器の座標値を含む面Ｓを作成する。
半径Ｒ１、Ｒ２、Ｒ３の大円を平面Ｓに描く。
半径Ｒ１とＲ２の円と円の２箇所の交点を結ぶ平面Ｓ上の線をＬ１とする。
半径Ｒ２とＲ３の円と円の２箇所の交点を結ぶ平面Ｓ上の線をＬ２とする。
Ｌ１とＬ２の交点をＰｃ（Ｘｃ、Ｙｃ、Ｚｃ）とする。
Ｐｃから面Ｓの法線を延ばし、半径Ｒ３の球と交わる点Ｐ０を求める。Ｐ０が求めるＲＦＩＤタグとなる。
半径Ｒ３とＲ１の２箇所の円と円の交点を結ぶ平面Ｓ上の線をＬ３としても、Ｌ１とＬ２とＬ３の交点は一箇所に集まる事は証明されているので、２線の交点だけを求めれば済む。
Ｌ１又はＬ２の求まらない場合は、Ｌ３をＬ１又はＬ２と入れ換えて求める。
Ｒ１、Ｒ２、Ｒ３が小さく、２つ以上の交点を結ぶ線が求められなかった場合は、２半径に定数を掛けて半径を大きくして求める。比率が同じで有れば、２円の交点を通る直線は変わらない事から、半径を大きくした状態で円と円の交点２箇所から、平面Ｓ上の線を求める。但し、法線と交わる球の半径は原寸を使用する。
Ｐｃからの法線と交わる球の交点Ｐ０は、平面Ｓの表と裏の２箇所有り、どちらの点であるか特定は出来ない。
本発明では、面の表裏どちらか片方で計測を行わなければならない制限が有る。
この制限は、質問器の配置を測定対象構造体の最下面なり最上面、又は側面に配置する事で、それを越えての測定は必要無いので、実用上問題とは成らない。
【００１４】
個体情報のＲＦＩＤタグへの記録は次の手順で行われる。
ＲＦＩＤタグを質問器の前に置き、３次元実距離を測定して置く。
質問器から距離測定コマンドを送り、応答時間と位相差から距離を算出する。
算出した距離と実距離を比較し、誤差が有れば、定数変更コマンドを送り、ＲＦＩＤタグの個体情報を書き換え、再度距離を算出する。
これを繰り返して、最適値を求める。
定数変更時、ＲＦＩＤタグは固定したままで、動かす必要は無い。
この一連の作業は、最適化プログラムを組む事で、自動的に行われる。
【実施例】
【００１５】
発明実施の形態を、図面を参照して説明する。
【００１６】
図１において、１、２、３の質問器Ｐ１、Ｐ２、Ｐ３は、実験構造物の下面に設置され、６の集中制御装置ＭＣから、伝送特性の揃った、同じ長さのケーブルにより、発振周波数と制御線及び通信線が接続されている。
Ｐ１、Ｐ２、Ｐ３の質問器を中心とした円は、３台の質問器の座標を含む平面上に広がる、ＲＦＩＤタグまでの距離を半径Ｒ１、Ｒ２、Ｒ３とした大円である。
質問器は、集中制御装置の指示で、距離測定コマンドを送信する。
実験動物に取り付けたＲＦＩＤタグ４が応答すると、質問器は、応答までの時間と電波の位相差から、各質問器とＲＦＩＤタグまでの距離を算出し、集中制御装置に送る。
集中制御装置は、３台の質問器から距離を収集し、ＲＦＩＤタグの３次元座標を決定して、パソコン等の解析システムに送信する。
集中制御装置は、次の質問器に送信指示を行い、順に測定を繰り返す。
【００１７】
図２を参照して、質問器の動作原理を説明する。
３台の質問器は、図３の集中制御装置から２７と２８の通信ポートでカスケード接続されている。
３台の質問器は、それぞれ独自のデバイスコードを持ち、集中制御装置から選択され、コマンドに従い動作する。
２５と２６のＳＷ１及びＳＷ２は、外部ＯＳＣと外部ＳＴＡＲＴ信号を使用するか、質問器内蔵の１１のＯＳＣ及び２２のμＣＰＵのＳＴＡＲＴ信号を使用するかを切り換えるスイッチである。システム構成時は、どちらか片方だけで、両信号を同時に使用する事は無い。集中制御装置側にすると、３台の質問器の距離測定の同時性が保証され、高速移動物体の測定が行える。質問器内蔵側にすると、同時性は失われるが、数時間掛けて低速移動する腸内カプセル監視等に、低価格で構成する事が出来る。
外部でも内蔵でもＯＳＣは常時発振している。
【００１８】
１７のＰＨ１及び１８のＰＨ２の位相差検出器は、非特許文献１のＩＣで、２入力信号の位相差と振幅比を出力する２つの機能を持つ。ＰＨ２では、振幅比出力は使用しない。
【００１９】
集中制御装置から通信ポートで発信指定された質問器は、連続送信要求とＲＦＩＤタグのＩＤを含む送信コードを、１０のシフトレジスタＳＲに設定する。
ＳＴＡＲＴ信号は、ＣＮＴをリセットすると共に、シフトレジスタＳＲのシフトを開始し、ＯＳＣの周波数に同期してレジスタ内容を９の振幅変調器ＭＤに送り出す。ベースバンド変調された信号は、７のアンテナＡＴから送信される。
【００２０】
同時に１３のカウンタＣＮＴがＯＳＣに同期してカウントアップし、時間計測を始める。１２のＳＨ１及び１５のＳＨ２は、アナログ信号をディジタル信号に変換する回路である。
【００２１】
ＲＦＩＤタグからの応答信号がアンテナＡＴで受信されると、８のサーキュレータで信号分離され、１４の増幅器ＡＭＰを通して、カウンタＣＮＴをＳＴＯＰさせる。
【００２２】
１７の位相差検出器ＰＨ１の振幅比の出力電圧は、２０のＡＤ２でディジタル値に変換されてμＣＰＵに読み込まれる。この振幅比は、ＳＨ２でのディジタル変換時に、受信波の減衰状態で、信号検出レベルに波形が達するまでの時間に違いが出る事を、補正する為に参照される。
【００２３】
ＯＳＣとＡＭＰの出力信号は、１７の位相差検出器ＰＨ１で送信波と受信波の位相差が取り出される。位相差は１９のＡＤ１で波長内距離計算用としてディジタル値に変換されてμＣＰＵに取り込まれる。
【００２４】
ＯＳＣの位相を１６のＰＳの移相器で９０度位相をずらし、１８の位相差検出器ＰＨ２で送信波と受信波の位相差を取り出し、２１のＡＤ３でＡＤ１と同様に、波長内距離計算用としてディジタル値に変換して、μＣＰＵに取り込む。この値と、ＰＨ１と合わせる事で、位相検出範囲が１８０度までの制限の有る特性を３６０度に拡張し、かつ０度又は１８０度近辺での非直線性を相補する。
【００２５】
μＣＰＵは、ＳＴＯＰ信号を受けると、ＣＮＴ、ＡＤ１、ＡＤ２及びＡＤ３のデータからＲＦＩＤタグ迄の距離を計算し、集中制御装置に送信する。
【００２６】
集中制御装置から発信指定されなかった質問器は、ＳＴＡＲＴ信号でＣＮＴをリセットする。
受信信号は、発信指定された質問器と同じ処理がされる。
【００２７】
内部信号を用いる場合は、図３の集中制御装置で指定された質問器だけが、内蔵ＯＳＣと内蔵ＳＴＡＲＴ信号で送受信し、他の２台の質問器は、送受信処理を行わない。集中制御装置は、３台の質問器を順に指定して、ＲＦＩＤタグまでの距離を、Ｒ０１、Ｒ０２、Ｒ０３、Ｒ１１，Ｒ１２、Ｒ１３・・・の順に測定すると、ＲＦＩＤタグの３次元位置の計算は、（Ｒ０１、Ｒ０２、Ｒ０３）→（Ｒ０２、Ｒ０３、Ｒ１１）→（Ｒ０３、Ｒ１１、Ｒ１２）と、質問器の順送りで求める事で、３データ単位での計算に比べ、高速にＲＦＩＤタグの移動に追従出来る様になる。
【産業上の利用可能性】
【００２８】
小動物にＲＦＩＤタグを取り付ける事で、その生態行動を暗視下でも記録し、調べる実験が行える。従来から電波の発信機や蛍光発光体を付けての実験は行われていたが、小動物に付けるには、形状及び重量に問題が有った。２．４５ＧＨｚのパッシブＲＦＩＤタグは、ミリ単位のサイズであり、電池も不要である為、実験動物への負担が軽減出来る。
【００２９】
小動物に限らず、昆虫など虫の行動にも対応可能である。
【００３０】
同時に複数のＲＦＩＤタグの使用が可能なので、動物の前後に取り付けると、移動方向だけでなく、向きを変えた場合の回転の様子が観察出来る。
【００３１】
同時に複数のＲＦＩＤタグの使用が可能なので、複数の動物に取り付ける事で、群行動の観察が行える。
【００３２】
３次元方向の位置が測定出来るので、平面的な経路だけでなく、立体的行動範囲の実験が可能となる。
【００３３】
電波障害の無い環境で有れば、動物に限らず、開放及び隠蔽場所内の移動物体の３次元的行動監視が可能となる。
【００３４】
実験構造物の構造図と重ね合わせる事で、現在位置をリアルタイムで知る事ができるので、その場面に対応する操作が行える。
【図面の簡単な説明】
【００３５】
【図１】本装置の実施構成図である。
【図２】質問器の構成図である。
【図３】集中制御装置の構成図である。
【図４】ＲＦＩＤタグ内の処理フローチャートである。
【符号の説明】
【００３６】
１  質問器１番  （Ｐ１）
２  質問器２番  （Ｐ２）
３  質問器３番  （Ｐ３）
４  実験動物に取り付けたＲＦＩＤタグ  （Ｐ０）
５  実験構造物
６  集中制御装置  （ＭＣ）
７  アンテナ  （ＡＴ）
８  サーキュレータ
９  変調器  （ＭＤ）
１０  シフトレジスタ  （ＳＲ）
１１  搬送波発振器  （ＯＳＣ）
１２  波形整形器  （ＳＨ１）
１３  時間測定カウンタ  （ＣＮＴ）
１４  増幅器  （ＡＭＰ）
１５  波形整形器  （ＳＨ２）
１６  ９０度移相器  （ＰＳ）
１７  位相差＋振幅値検出器  １  （ＰＨ１）
１８  位相差＋振幅値検出器  ２  （ＰＨ２）
１９  位相差用ＡＤ変換機  １  （ＡＤ１）
２０  ゲイン補正ＡＤ変換機  （ＡＤ２）
２１  位相差用ＡＤ変換機  ２  （ＡＤ３）
２２  マイクロコンピュータ  （μＣＰＵ）
２３  外部ＳＴＡＲＴ入力ポート
２４  外部ＯＳＣ入力ポート
２５  内蔵ＯＳＣ・外部ＯＳＣ切換スイッチ  （ＳＷ１）
２６  内部ＳＴＡＲＴ・外部ＳＴＡＲＴ切換スイッチ  （ＳＷ２）
２７  カスケード通信入力ポート
２８  カスケード通信出力ポート
２９  質問器間通信ポート
３０  ＰＣ間通信ポート
３１  外部ＳＴＡＲＴ出力ポート（３台の質問器へ）
３２  外部出力用ＯＳＣ  （ＯＳＣ）
３３  外部ＯＳＣ出力ポート（３台の質問器へ）
３４  マイクロコンピュータ  （μＣＰＵ）
【図１】
2009270901.tif 000003
【図２】
2009270901.tif 000004
【図３】
2009270901.tif 000005
【図４】
2009270901.tif 000006
【手続補正書】
【提出日】平成20年7月28日(2008.7.28)
【手続補正１】
【補正対象書類名】明細書
【補正対象項目名】０００４
【補正方法】変更
【補正の内容】
【０００４】
３台の質問器の１つから送信し、受信したＲＦＩＤタグは、信号を連続応答送信する。送信した質問器の受信機は、ＲＦＩＤタグからの応答を受信し、時間差と位相差から、ＲＦＩＤタグ迄の距離を算出する。
【手続補正２】
【補正対象書類名】明細書
【補正対象項目名】０００５
【補正方法】変更
【補正の内容】
【０００５】
１台の質問器からの送信で距離の計測は可能で有るが、質問器からの距離を半径とする球面上であり、ＲＦＩＤタグの３次元位置の決定は出来ないので、３台の質問器からの距離計測結果から算出する。
【手続補正３】
【補正対象書類名】明細書
【補正対象項目名】００１０
【補正方法】変更
【補正の内容】
【００１０】
変調方式は、位相差の検出を行う都合上、ＡＳＫ方式を採用する。周波数を変調するＦＳＫやＭＳＫ及び位相変調のＰＳＫでは位相差が求められない為、使用出来ない。又、タイムスロットの様に、応答タイミングをずらすアンチコリジョン機能も使用出来ない。
【手続補正４】
【補正対象書類名】明細書
【補正対象項目名】００１２
【補正方法】変更
【補正の内容】
【００１２】
計測は次の手順で行われる。
３台の質問器の１台からＲＦＩＤタグ識別コードとＳＴＡＲＴコマンドと、それに続いて連続波を送信する。
自分の識別コードとＳＴＡＲＴコマンドを検出したＲＦＩＤタグは、連続波を応答送信する。送信した質問器は、ＲＦＩＤタグからの応答波を受信し、送信波形のタイミングに同期して応答時間を計測する。
応答時間からＲＦＩＤタグ固有の処理時間を差し引き、実際の電波の往復時間とする。往復時間の半分から距離を求める。
同時に、送信波と応答波の位相を検出し、３６０度を１００％とする位相度数の割合から、１波長の位相分の長さを求める。
求められた距離と長さを加算して、質問器とＲＦＩＤタグ間の距離とする。
距離が求まると、質問器からの連続波を停止する。
連続波の停止は、ＲＦＩＤタグの指向性による無応答が考えられるので、タイムアウトでも停止する。
続いて、次の質問器が働き、同様の測定を順に繰り返す。
【手続補正５】
【補正対象書類名】明細書
【補正対象項目名】００１３
【補正方法】変更
【補正の内容】
【００１３】
求まった３台の質問器のＲＦＩＤタグまでの距離から、ＲＦＩＤタグの位置を特定する。
３台の質問器の座標値を、Ｐ１（Ｘ１、Ｙ１、Ｚ１）、Ｐ２（Ｘ２、Ｙ２、Ｚ２）、Ｐ３（Ｘ３、Ｙ３、Ｚ３）とする。
３台の質問器からＲＦＩＤタグ迄の距離をＲ１、Ｒ２、Ｒ３とする。
Ｐ１を中心とする半径Ｒ１の球と、Ｐ２を中心とする半径Ｒ２の球と、Ｐ３を中心とする半径Ｒ３の球の、３つの球の交点が求まるＲＦＩＤタグの座標値となる。
次式の解が求める座標値Ｐ０（Ｘ０、Ｙ０、Ｚ０）となる。
（Ｘ−Ｘ１）＾２＋（Ｙ−Ｙ１）＾２＋（Ｚ−Ｚ１）＾２＝Ｒ１＾２
（Ｘ−Ｘ２）＾２＋（Ｙ−Ｙ２）＾２＋（Ｚ−Ｚ２）＾２＝Ｒ２＾２
（Ｘ−Ｘ３）＾２＋（Ｙ−Ｙ３）＾２＋（Ｚ−Ｚ３）＾２＝Ｒ３＾２
但し、＾２は二乗を表す。
この３つの式は、Ｒ１、Ｒ２、Ｒ３に誤差の無い場合に成立し、測定誤差を含む実測値には、適用出来ない。この式で解くには、右辺と左辺の差が極小となる様に、多数の測定点から最少二乗法で求めなければならない。しかし、
質問器は３台と最小構成であり、最小二乗法で解くのに必要なデータ数が得られず、この手法は使用出来ない為、下記の様に、地震の震源を算出する手順で、ＲＦＩＤタグの位置を求める。
図１を参考にして説明する。
３台の質問器の座標値を含む面Ｓを作成する。
半径Ｒ１、Ｒ２、Ｒ３の大円を平面Ｓに描く。
半径Ｒ１とＲ２の円と円の２箇所の交点を結ぶ平面Ｓ上の線をＬ１とする。
半径Ｒ２とＲ３の円と円の２箇所の交点を結ぶ平面Ｓ上の線をＬ２とする。
Ｌ１とＬ２の交点をＰｃ（Ｘｃ、Ｙｃ、Ｚｃ）とする。
Ｐｃから面Ｓの法線を延ばし、半径Ｒ３の球と交わる点Ｐ０（Ｘ０、Ｙ０、Ｚ０）を求める。Ｐ０が求めるＲＦＩＤタグとなる。
半径Ｒ３とＲ１の２箇所の円と円の交点を結ぶ平面Ｓ上の線をＬ３としても、Ｌ１とＬ２とＬ３の交点は一箇所に集まる事は証明されているので、２線の交点だけを求めれば済む。Ｌ１又はＬ２の求まらない場合は、Ｌ３をＬ１又はＬ２と入れ換えて求める。Ｒ１、Ｒ２、Ｒ３が小さく、２つ以上の交点を結ぶ線が求められなかった場合は、２半径に定数を掛けて半径を大きくして求める。比率が同じで有れば、２円の交点を通る直線は変わらない事から、半径を大きくした状態で円と円の交点２箇所から、平面Ｓ上の線を求める。但し、法線と交わる球の半径は原寸を使用する。Ｐｃからの法線と交わる球の交点Ｐ０は、平面Ｓの表と裏の２箇所有り、どちらの点であるか特定は出来ない。本発明では、面の表裏どちらか片方で計測を行わなければならない制限が有る。この制限は、質問器の配置を測定対象構造体の最下面なり最上面、又は側面に配置し、半空間領域を限定する事で、それを越えての測定は必要無いので、実用上問題とは成らない。
【手続補正６】
【補正対象書類名】明細書
【補正対象項目名】００１４
【補正方法】変更
【補正の内容】
【００１４】
個体情報のＲＦＩＤタグへの記録は次の手順で行われる。
ＲＦＩＤタグを質問器の前に置き、３次元実距離を測定しておく。
質問器からＳＴＡＲＴコマンドを送り、応答時間と位相差から距離を算出する。算出した距離と実距離を比較し、誤差が有れば、定数変更コマンドを送り、ＲＦＩＤタグの個体情報を書き換え、再度距離を算出する。
これを繰り返して、最適値を求める。
定数変更時、ＲＦＩＤタグは固定したままで、動かす必要は無い。
この一連の作業は、最適化プログラムを組む事で、自動的に行われる。
【手続補正７】
【補正対象書類名】明細書
【補正対象項目名】００１６
【補正方法】変更
【補正の内容】
【００１６】
図１において、１、２、３の質問器Ｐ１、Ｐ２、Ｐ３は、実験構造物の下面に設置され、６の集中制御装置ＭＣから、伝送特性の揃った、同じ長さのケーブルにより、発振周波数と制御線及び通信線が接続されている。
Ｐ１、Ｐ２、Ｐ３の質問器を中心とした円は、３台の質問器の座標を含む平面上に広がる、ＲＦＩＤタグまでの距離を半径Ｒ１、Ｒ２、Ｒ３とした大円である。一つの質問器は、集中制御装置の指示で、距離測定コマンド（ＳＴＡＲＴ）を送信する。実験動物に取り付けたＲＦＩＤタグ４が応答すると、その一つの質問器は、応答までの時間と電波の位相差から、ＲＦＩＤタグまでの距離を算出し、集中制御装置に送る。集中制御装置は、次の質問器に距離測定コマンドの送信指示を行い、順に測定を繰り返す。集中制御装置は、３台の質問器から距離を収集し、ＲＦＩＤタグの３次元座標を決定して、パソコン等の解析システムに送信する。
【手続補正８】
【補正対象書類名】明細書
【補正対象項目名】００１７
【補正方法】変更
【補正の内容】
【００１７】
図２を参照して、質問器の動作原理を説明する。
３台の質問器は、図３の６の集中制御装置ＭＣから２７と２８の通信ポートでカスケード接続されている。外部ＳＴＡＲＴ信号と外部ＯＳＣは、６の集中制御装置から、伝送特性の揃った、同じ長さのケーブルにより接続されている。３台の質問器は、それぞれ独自のデバイスコードを持ち、集中制御装置から選択され、コマンドに従い動作する。
２５と２６のＳＷ１及びＳＷ２は、外部ＯＳＣと外部ＳＴＡＲＴ信号を使用するか、質問器内蔵の１１のＯＳＣ及び２２のμＣＰＵのＳＴＡＲＴ信号を使用するかを切り換えるスイッチである。システム構成時は、どちらか片方だけで、両信号を同時に使用する事は無い。
外部でも内蔵でもＯＳＣは常時発振している。
【手続補正９】
【補正対象書類名】明細書
【補正対象項目名】００２０
【補正方法】変更
【補正の内容】
【００２０】
同時に１３の時間測定カウンタＣＮＴがＯＳＣに同期してカウントアップし、時間計測を始める。１２のＳＨ１及び１５のＳＨ２は、アナログ信号をディジタル信号レベルに変換する回路である。
【手続補正１０】
【補正対象書類名】明細書
【補正対象項目名】００２６
【補正方法】変更
【補正の内容】
【００２６】
集中制御装置から発信指定されなかった質問器は、送受信処理を行わない。
【手続補正１１】
【補正対象書類名】明細書
【補正対象項目名】００２７
【補正方法】変更
【補正の内容】
【００２７】
集中制御装置は、３台の質問器を順に指定して、ＲＦＩＤタグまでの距離を、Ｒ０１、Ｒ０２、Ｒ０３、Ｒ１１，Ｒ１２、Ｒ１３・・・の順に測定すると、ＲＦＩＤタグの３次元位置の計算は、（Ｒ０１、Ｒ０２、Ｒ０３）→（Ｒ０２、Ｒ０３、Ｒ１１）→（Ｒ０３、Ｒ１１、Ｒ１２）と、質問器の順送りで求められ、高速移動のＲＦＩＤタグも少ない誤差で追従出来る。１ｍＳで１台の質問器の測定が行われるとすれば、３ｍＳ以降は、１ｍＳ間隔で3次元座標値が得られる。秒速１ｍの移動物体を追跡した場合、１測定に３ｍＳを要するので、３ｍｍ以内の論理的誤差が発生するが、測定対象を小動物や昆虫及びカプセルの腸内移動の様な低速移動物とすれば、それらの移動速度に対し、３点の測定結果は、擬似的に同時性が有ると考えられる。
【手続補正１２】
【補正対象書類名】明細書
【補正対象項目名】００２９
【補正方法】変更
【補正の内容】
【００２９】
小動物に限らず、昆虫など虫の行動やカプセルの腸内移動観察にも対応可能である。